(57)【特許請求の範囲】
【請求項１】
上面に滑り止め加工された平坦面を有するとともに該平坦面の両側に一対の傾斜面が形成されてなる中空体のフロ一トと、
上記傾斜面に水平方向に複数本形成された凸条と、
上記フロートの水平方向側面周囲に突出形成された防舷部と、
上記フロートの垂直方向側面周囲に形成された少なくとも２条のロープ固定溝と、
を具備し、筏のフレームを構成するパイプが上記傾斜面の上記凸条の間において上記フロート本体に接触して配置され、上記ロープ固定部にロープが巻回されるとともに、該ロープにて上記フロートが上記パイプに連結固定されることを特徴とする筏用フロート。
【請求項２】
上記フロートが密封体構造であることを特徴とする請求項１記載の筏用フロート。
【請求項３】
上記フロートの下面に開口が形成されてなることを特徴とする請求項１記載の筏用フロート。
【請求項４】
垂直方向断面が略６角形であり、上面及びこれに相対する下面が滑り止め加工された平坦面に形成されてなる中空密封体のフロ−トと、
該１組の平坦面にそれぞれ隣接する２組の傾斜面に水平方向に複数本形成された凸条と、
上記フロ一トの上記２組の傾斜面の境界部位に、水平方向側面周囲に形成された防舷部と、
上記フロートの垂直方向側面周囲に形成された少なくとも２条のロープ固定溝と、
を具備し、筏のフレームを構成するパイプが上記２組の傾斜面のいずれか一方の組の傾斜面の上記凸条の間において上記フロートに接触して配置され、上記ロープ固定部にロープが巻回されるとともに、該ロープにて上記フロートが上記パイプに連結固定されることを特徴とする筏用フロート。
【請求項５】
上記フロートがポリオレフィン系熱可塑性樹脂によりブロー成形にて一体形成されたことを特徴とする請求項１ないし４のいずれか１項に記載の筏用フロート。
【発明の詳細な説明】
【０００１】
【発明の属する技術分野】
本発明は、特に魚の養殖用筏に使用して好適な筏用フロートに関する。
【０００２】
【従来の技術】
従来、魚の養殖用筏の典型的な構造は、図５に示すように竹１を２本ずつ４角形に組んでフレ−ムを構成し、２本の竹１，１の間に、発泡スチロール製の円筒形フロート２をロ一プ３で固定し、この４角形フレームで囲まれた水域を網（図示せず）で囲んで生け簀としたものである。またフロート２として、樹脂製中空体を使用したものは、例えば特開平５‐４５９８号公認に記載されている。この公報には複数のフロ一ト（浮体と記載されている）を結合させて浮き島を構成した例が開示されている。またフロートを複数連結し、フロートの側面に防舷材を取りつけた浮き桟橋は、例えば特開平８一２５３９１０号公報に記載されている。
【０００３】
【発明が解決しようとする課題】
上記のようにフロ一ト２として、発泡スチロール製のものを使用した場合、外部衝撃或いは浸食作用により、これが徐々に粉砕されていき、その屑が海洋汚染の原因となるという問題がある。また図示のごとき養殖用筏のフロート２として使用した場合、フロート２上面が作業者の足場として使用されることから、それが荷重を受けて変形し、破損するという問題がある。また発泡スチロールは滑りやすく、かつ軟らかいことから姿勢が不安定になりやすく、実際には、フロ一ト２上に簀の子状の木製足場を組むことが多い。
【０００４】
上記公報（特開平５‐４５９８号）に開示のフロートは、フロート同士を直接連結するものであり、これのみでは安定性が悪く、筏として使用するには不適当である。また上記公報（特開平８−２５３９１０号）に開示の発明にあっては、フロートに、防舷材が別部材として取りつけられるものであるため、その取付け作業は面倒なものと予想される。
【０００５】
本発明は、このような問題を解決すべくなされたもので、特に魚の養殖用筏に使用して好適な筏用フロートを提供するものである。
【０００６】
【課題を解決するための手段】
本発明（請求項１）に係る筏用フロートは、上面に滑り止め加工された平坦面を有するとともに該平坦面の両側に一対の傾斜面が形成されてなる中空体のフロートと、上記傾斜面に水平方向に複数本形成された凸条と、上記フロートの水平方向側面周囲に突出形成された防舷部と、上記フロ一トの垂直方向側面周囲に形成されたロープ固定溝と、を具備し、筏のフレームを構成するパイプが上記傾斜面の上記凸条の間において上記フロートに接触して配置され、上記ロープ固定溝にロープが巻回されるとともに、該ロープにて上記フロートが上記パイプに連結固定されてなるものである。
【０００７】
かかる構成において、滑り止め加工された平坦面は人が移動し或いは作業する際の足場として使用される。凸条は、フレームを構成するパイプがその間に配置されることにより、フレームに対するフロートの位置を決めるという作用をなす。また傾斜面は、このパイプが位置することにより、ロープをロ一プ固定溝に巻いたとき、フロ一トを確実に締結する作用をなす。
【０００８】
また本発明（請求項２）に係る筏用フロートは、上記フロートが密封体構造とされたものである。かかる構造であれば、大きい荷重が加わっても、大きな浮力が得られる。
【０００９】
また本発明（請求項３）に係る筏用フロートは、上記フロートの下面に開口が形成されたものである。かかる構造であれば、フロート内部の空気圧と水圧とが常に等しくなり、この圧力差によりフロートが変形することはない。
【００１０】
また本発明（請求項４）に係る筏用フロートは、垂直方向断面が略６角形であり、上面及びこれに相対する下面が滑り止め加工された平坦面に形成されてなる中空体のフロートと、該１組の平坦面にそれぞれ隣接する２組の傾斜面に水平方向に複数本形成された凸条と、上記フロートの上記２組の傾斜面の境界部位に、水平方向側面周囲に形成された防舷部と、上記フロートの垂直方向側面周囲に形成された少なくとも２条のロープ固定溝と、を具備し、筏のフレームを構成するパイプが上記２組の傾斜面のいずれか一方の組の傾斜面の上記凸条の間において上記フロートに接触して配置され、上記ロープ固定部にロープが巻回されるとともに、該ロープにて上記フロートが上記パイプに連結固定されてなるものである。
【００１１】
かかる構成であれば、フロートは、防舷部を境界として、上下対称な同一構造となる。かかるフロートは、定期的に上下逆転して使用される。ある期間海水に浸かるうちに浸漬面に海草、貝殻等が付着すると、上下ひっくり返して使用し、海草等が付着した面を天日にさらし、海草等を除去するとともに、海草等が付着していない面を水中に漬けるのである。
【００１２】
また本発明（請求項５）に係る筏用フロートは、フロ一トがポリオレフィン系熱可塑性樹脂によりブロー成形にて形成されたものとすることができる。ポリオレフィン系熱可塑性樹脂は、化学的に極めて安定であるから、長期間日光に晒され或いは海中に浸潰されても耐久性が維持され、また貝殻、海草等海洋生物の付着が抑制される。また中空体は、ブロ一成形により形成することができるから、密封性のよい中空体が得られる。
【００１３】
【発明の実施の形態】
図１，２において、４は、上面に平坦面５を有するとともに、この平坦面５の両側に形成された１組の傾斜面６，６を有する中空体のフロートであり、平坦面５には、多数の凹凸７が形成され、滑り止め加工されている。この平坦面５は、作業者が歩行し、或いは作業する足場となるデッキの作用をなす。８，８，……は、１組の傾斜面６，６に複数本、例えばそれぞれ４本水平方向に等間隔で形成された凸条、９は、フロートの水平方向側面、例えば傾斜面６，６の下端部位の周囲に突出して形成された防舷部、１０，１０は、フロート４の垂直方向側面周囲に、所定間隔を隔てて、形成された２条のロ一プ固定溝である。フロ−ト４の防舷部下方は、断面略矩形に形成されている。なお、フロート４は、水圧に対する強度をあげるため、防舷部下方に位置する各面は、わずか外側方向へ湾曲せしめられている。
【００１４】
１１，１１は養殖筏のフレームを構成する金属製パイプで２本ずつ平行に配置され、図５に示す筏と同様に４角形に組まれている。フロート４は、口−プ１２にてこのパイプ１１に連結される。すなわちロ−プ１２は、ロープ固定溝１０を通して、パイプ１１に締めつけ固定されるのである。
【００１５】
フロート４は、高密度ポリエチレン樹脂等ポリオレフィン系熱可塑性樹脂のブロー成形法にて成形することができ、その大きさの一例をあげると、平坦面５の幅ａは３０ｃｍ、傾斜面６の幅ｂは、１５ｃｍ、高さｃは２７ｃｍ、防舷部９の幅ｄは、６ｃｍ、高さｅは３ｃｍ、防舷部９より下方部分の長さｆは、２７ｃｍ、水平方向の長さｇは、ｌｍ、ロープ固定溝１０の間隔ｈは７０ｃｍ、その幅５ｃｍ、深さ３ｃｍとすることができる。フロート本体４の平均的肉厚を、１０ｍｍとしたとき、その重量は、約２５ｋｇとなる。かかる構造のフロートにあっては、約２５０ｋｇの浮力を得ることができる。凸条８の幅は、２ｃｍ、高さは２ｃｍ、長さは６０ｃｍ、凸条８，８間の間隔は３ｃｍとすることができる。ブロ一成形に際し、平坦面５及び防舷部９を、他の部分より僅か厚く成形することも可能である。なお、１３は、ブロー成形の際、エア吹き込み孔に形成されたネジ構造のキャップである。このキャップ１３の締め付けによりフロート４内は密封構造に維持される。
【００１６】
フレ−ムを構成するパイプ１１は、傾斜面６が形成する３角形領域（上記例では、傾斜面と水平方向の幅（１５ｃｍ）及び垂直方向の高さ（２７ｃｍ）とで構成される３角形領域）に入る直径を有するものが使用される必要がある。ロープ１２を確実にロープ固定溝１０内に位置させて、フロート４をパイプ１１に締めつけるためである。パイプ１１は、４本の凸条８，８，……の間に位置せしめられて、フロ一ト４との位置決めがなされ、かつその移動が阻止される。また、パイプ１１のフロート４に対する位置は、４本の凸条８，８，……間領域（３か所）を選択することによって、フロ一ト４に対し、上下方向の調節がなされる。
【００１７】
上記構造のフロート４は、金属製パイプ１１にて４角形（又は多角形）に組まれたフレームに固定されて、筏が形成される。平坦面５はデッキとして機能し、作業者はこの上を移動し、これを足場として作業する。フロ一トは上記のごとき高強度の硬質樹脂にて構成されるから、作業者の体重にも十分耐えることができ、これが変形、破損するおそれはない。防舷部９は、フロ−ト４の外側に突出しているから、舟艇がフロート４に接触したときは、この防舷部９にあたり、その衝撃からフロート４を保護する。かかるフロ一トは、魚類の養殖筏或いはかき養殖筏のフロートとして適してしいる。
【００１８】
図３は、上記実施の形態にかかるフロ−トの変形構造を示し、フロート１４の下面中央に、直径約１０ｃｍの円形の開口１５を空けたものである。なおかかる構造の場合、フロート１４の下面１４ａは水平面に対し傾斜（θ＝約５度）せしめられており、その最下端に、開口１５が位置している。該開口１５はフロート１４内への海水の浸入を最小限とするためである。かかる構造の場合、フロート１４にかかる荷重が大きくなるとフロート１４の喫水は上がり、フロ一ト１４に加わる水圧上昇に伴って、フロート１４内に海水が入り、フロート１４内の空気圧と水圧とは常に等しくなる。すなわち、フロート１４の壁面に内外から加わる圧力は、常に等しいから、壁面が圧力差により変形することはない。ちなみに前述の密封体構造のフロート４（図１）では、内部の空気圧は一定であるから、外部から加わる水圧が上昇すると、フロ一ト本体壁面には、内側へ凹まされる方向の力が加わり、歪み、変形或いは破損の原因となるが、上記構造ではかかる問題は生じないのである。それ故、フロ一ト１４の壁面の厚さを薄くすることができ、例えば厚さ約５ｍｍ程度とすることができ、この場合、前述の密封体構造のフロート４とほぼ同一の形状としたとき、その重量は、約１０ｋｇとなり、１／２．５に軽量化される。フロ一ト１４のその他の構造はフロート４と同一とすることができる。
【００１９】
図４は、他の実施の形態にかかるフロ一ト本体１６の形状を示し、垂直方向断面が、略６角形形状を有し、６角形の１辺をなす面が上面、かつこれに相対する面が下面とされ、それぞれ滑り止め加工された平坦面１７，１８に形成されている。１９，１９，……は、これら１組の平坦面１７の両側にそれぞれ隣接する２組の傾斜面（６角形の他の辺に対応）２０，２０，２１，２１に、水平方向に複数本形成された凸条である。２２は、２組の傾斜面の境界部位（６角形の角部に対応）に、水平方向側面周囲に形成された防舷部である。２３は、フロート１６の垂直方向側面周囲に形成された２本のロープ固定溝である。かかる構造のフロート１６は、前述のフロート４，１４と同様、ポリオレフィン系熱可塑性樹脂にてブロ−成形法により成形される。かかるフロート１６において、平坦面１７，１８、傾斜面２０，２１の形状は、前述のフロート４と同様とすることができる。
【００２０】
フロ一ト１６は、防舷部２２を境界として、上下同一構造とされ、上下逆さまにして使用できる。すなわち、海水中に長期間浸潰されていると、海草、貝殻等水棲生物が付着し、フロート１６の浮力が低減するおそれがある。これに対処するため、数カ月ごとに、フロート１６を上下ひっくり返して使用するのである。かくすれば、水棲生物が付着した下面を、上にして大気及び日光にさらして水棲生物を死滅、除去し、何も付着していない上面を下面として水中に漬けることにより、フロ−ト１６への水棲生物の付着を防ぎ、その浮力を維持するのである。かかるフロート１６は、前述のフロート４と同様フレームを構成するパイプにロープにて連結されて筏が構成される。なお上記構造のフロート１６は、上下逆転して使用されるため、密封体構造のみで使用される。
【００２１】
【発明の効果】
本発明（請求項１）によれば、上面が平坦面とされ、かつ滑り止め加工されているから、作業者がこの上を歩行し或いはこれを足場として作業する際、安全にこれを行うことができる。通常この部分は、給餌作業により、餌に含まれる油分がフロートに付着して、滑りやすくなることが多い。また雨天時或いは波により筏が揺動する場合には、作業は危険なものとなるため、滑り止め加工を施すことは極めて有効である。
【００２２】
また本発明によれば、傾斜面に形成された凸条にあわせて、フレームを構成するパイプを固定することにより、フレームに対するフロートの位置決めを正確なものとすることができる。また凸条は傾斜面に形成されるから、この位置にパイプが配置されても、ロ一プ固定溝にロープを回して、フロートを締めつけた状態でパイプに連結することができる。
【００２３】
また本発明によれば、防舷部がフロートの水平方向側面周囲に突出形成されるから、船艇等が、フロートに衝突したとき、フロートを保護することができる。また防舷部は、フロートと一体成形されるから、別途防舷部をフロートに取りつけるという面倒な作業は不要である。
【００２４】
また本発明（請求項２）によれば、フロートが密封体構造とされるから、フロートに大きな荷重かかかっても、一定の浮力を維持することができる。
【００２５】
また本発明（請求項３）によれば、フロートの下面の開口が空けられ、水の浸入が可能とされるから、フロートに加わる荷重が大きい場合、フロ−ト内に水が入って、フロート内部の空気圧と、水圧とが常に等しく保たれるから、フロート壁面にこれを変形させようとする力は加わることはない。それ故フロート壁面の強度は水圧を考慮する必要はなく、従来の密封体構造のフロートより、その厚さを薄くでき、軽量化が可能となり、運搬、取り扱い作業がしやすいものとすることができる。
【００２６】
さらに本発明（請求項４）によれば、防舷部を境界として上下同一構造であるから、フロートを定期的に上下逆転して使用することができる。それ故、海水浸漬面に付着した水棲生物を定期的に除去することができ、フロートの浮力を長期間維持することができると同時に、フロ−トを清潔な状態に保つことができる。
【００２７】
さらに本発明（請求項５）によれば、フロートの材料としてオレフィン系熱可塑性樹脂を使用することにより、長期間海面に浮揚させた場合においても、耐久性が損なわれることはなく、また貝殻等の海洋生物の付着が抑制される。
【図面の簡単な説明】
【図１】本発明の実施の形態に係る筏用フロートの斜視図である。
【図２】図１のII−II線断面図である。
【図３】本発明の実施の形態に係る筏用フロ一トの変形構造を示す断面図である。
【図４】本発明の他の実施の形態に係る筏用フロートの斜視図である。
【図５】養殖筏の従来構造を示す斜視図である。
【符号の説明】
４，１４，１６  フロート
５，１７，１８  平坦面
６，２０，２１  傾斜面
７  凹凸
８，１９  凸条
９，２２  防舷部
１０，２３  ロープ固定溝
１１  パイプ
１２  ロープ
１５  開口
【図１】
0003659829.tif 000002
【図２】
0003659829.tif 000003
【図３】
0003659829.tif 000004
【図４】
0003659829.tif 000005
【図５】
0003659829.tif 000006